(57)【要約】【課題】媒体保存連接インタフェース装置の提供。【解決手段】連接インタフェースと無線モジュールがアプリケーション装置と保存設備を具えた電子装置に連接され、バッファが該連接インタフェース及び無線モジュールからのデータを暫時保存する。アプリケーション装置からのデータのカードへの書き込み命令を受け取ると、まずデータを該バッファに書き込んで暫時保存し、並びに該電子装置の保存設備中にファイルを構築及び開放し、これによりデータを無線連接により該ファイル中に書き込む。アプリケーション装置のカードデータ読み取り命令を受け取ると、電子装置の保存設備の対応ファイルを開き、さらに該ファイルのデータを無線連接により該バッファに書き込み、さらに該バッファのデータを該連接インタフェースにより該アプリケーション装置に移転する。【選択図】        図１
2004310680.tif 000002
【特許請求の範囲】
【請求項１】
媒体保存連接インタフェース装置において、
アプリケーション装置に連接されて該アプリケーション装置からの命令を受け取る連接インタフェースと、
保存設備を具えた電子装置に無線連接するための無線モジュールと、
該連接インタフェース及び無線モジュールからのデータを暫時保存するバッファと、
該連接インタフェース及び無線モジュール間で命令を変換する協定命令切り換え器と、
アプリケーション装置が該連接インタフェースを介して伝送した命令を解釈するマイクロプロセッサと、
を具え、アプリケーション装置によるデータのカードへの書き込み命令を受け取ると、データをバッファ中に書き込み暫時保存し、並びに該協定命令切り換え器により連接インタフェースの書き込み命令を無線モジュールの命令フォーマットに変換し、電子装置の保存設備中にあってファイルを構築及び開放し、データを無線連接により該ファイル中に書き込み、アプリケーション装置のカードデータ読み取り命令を受け取ると、該協定命令切り換え器が連接インタフェースの読み取り命令を無線モジュール命令フォーマットに変換し、電子装置の保存設備の対応ファイルを開き、さらに該ファイルのデータを無線連接により該バッファ中に書き込み、さらに該バッファのデータを該連接インタフェースにより該アプリケーション装置に転送することを特徴とする、媒体保存連接インタフェース装置。
【請求項２】
請求項１記載の媒体保存連接インタフェース装置において、アプリケーション装置が送るデータの書き込み及び読み取り以外の標準規範の命令を受け取る時、マイクロプロセッサがインタフェースの標準協定により直接応答データをアプリケーション装置に送ることを特徴とする、媒体保存連接インタフェース装置。
【請求項３】
請求項１記載の媒体保存連接インタフェース装置において、連接インタフェースがコンパクトフラッシュ（登録商標）インタフェースとされたことを特徴とする、媒体保存連接インタフェース装置。
【請求項４】
請求項１記載の媒体保存連接インタフェース装置において、無線モジュールがブルートゥースモジュールとされたことを特徴とする、媒体保存連接インタフェース装置。
【請求項５】
媒体保存連接インタフェース装置において、
アプリケーション装置に連接されて該アプリケーション装置からの命令を受け取る第１連接インタフェースと、
保存設備を具えた電子装置に連接される第２連接インタフェースと、
第１連接インタフェース及び第２連接インタフェースのデータを暫時保存するバッファと、
第１連接インタフェース及び第２連接インタフェース間で命令を変換する協定命令切り換え器と、
アプリケーション装置が該第１連接インタフェースを介して伝送した命令を解釈するマイクロプロセッサと、
を具え、アプリケーション装置によるデータのカードへの書き込み命令を受け取ると、データをバッファ中に書き込み暫時保存し、並びに該協定命令切り換え器により第１連接インタフェースの書き込み命令を第２連接インタフェースの命令フォーマットに変換し、電子装置の保存設備中にあってファイルを構築及び開放し、データを第２連接インタフェースにより該ファイル中に書き込み、アプリケーション装置のカードデータ読み取り命令を受け取ると、該協定命令切り換え器が第１連接インタフェースの読み取り命令を第２連接インタフェース命令フォーマットに変換し、電子装置の保存設備の対応ファイルを開き、さらに該ファイルのデータを無線連接により該バッファ中に書き込み、さらに該バッファのデータを該第１連接インタフェースにより該アプリケーション装置に転送することを特徴とする、媒体保存連接インタフェース装置。
【請求項６】
請求項５記載の媒体保存連接インタフェース装置において、アプリケーション装置が送るデータの書き込み及び読み取り以外の標準規範の命令を受け取る時、マイクロプロセッサがインタフェースの標準協定により直接応答データをアプリケーション装置に送ることを特徴とする、媒体保存連接インタフェース装置。
【請求項７】
請求項５記載の媒体保存連接インタフェース装置において、第１連接インタフェースがコンパクトフラッシュ（登録商標）インタフェースとされたことを特徴とする、媒体保存連接インタフェース装置。
【請求項８】
請求項５記載の媒体保存連接インタフェース装置において、第２連接インタフェースがＵＳＢインタフェースとされたことを特徴とする、媒体保存連接インタフェース装置。
【発明の詳細な説明】
【０００１】
【発明の属する技術分野】
本発明は一種の保存装置に係り、特に、電子装置の保存設備を仮想小型メモリカードとする媒体保存連接インタフェース装置に関する。
【０００２】
【従来の技術】
電子科学技術の進歩により、各種の電子装置の小型化が進み、使用上の便利性を提供しており、例えば小型化されたメモリカードはディジタルカメラ、携帯情報端末（ＰＤＡ）、或いはパームトップ型コンピュータ等に挿入されて、これらの携帯式電子装置に余分の記憶空間を提供する。しかし、前述のメモリカードは体積が小さく且つ一般にはフラッシュメモリをその保存媒体とし、これにより、記憶容量上の制限があり、例えばコンパクトフラッシュ（登録商標）カードの最大容量は６４０ＭＢであるが、メモリカードが使用上、その最大容量を超過すると、メモリカードを交換しなければならず、使用上の不便を形成し、このため前述の小型メモリカードの使用は改善の必要がある。
【０００３】
【発明が解決しようとする課題】
本発明の目的は、一種の媒体保存連接インタフェース装置を提供することにあり、それは、電子装置の保存設備を仮想小型メモリカードとして使用するものとする。
【０００４】
【課題を解決するための手段】
請求項１の発明は、媒体保存連接インタフェース装置において、
アプリケーション装置に連接されて該アプリケーション装置からの命令を受け取る連接インタフェースと、
保存設備を具えた電子装置に無線連接するための無線モジュールと、
該連接インタフェース及び無線モジュールからのデータを暫時保存するバッファと、
該連接インタフェース及び無線モジュール間で命令を変換する協定命令切り換え器と、
アプリケーション装置が該連接インタフェースを介して伝送した命令を解釈するマイクロプロセッサと、
を具え、アプリケーション装置によるデータのカードへの書き込み命令を受け取ると、データをバッファ中に書き込み暫時保存し、並びに該協定命令切り換え器により連接インタフェースの書き込み命令を無線モジュールの命令フォーマットに変換し、電子装置の保存設備中にあってファイルを構築及び開放し、データを無線連接により該ファイル中に書き込み、アプリケーション装置のカードデータ読み取り命令を受け取ると、該協定命令切り換え器が連接インタフェースの読み取り命令を無線モジュール命令フォーマットに変換し、電子装置の保存設備の対応ファイルを開き、さらに該ファイルのデータを無線連接により該バッファ中に書き込み、さらに該バッファのデータを該連接インタフェースにより該アプリケーション装置に転送することを特徴とする、媒体保存連接インタフェース装置としている。
請求項２の発明は、請求項１記載の媒体保存連接インタフェース装置において、アプリケーション装置が送るデータの書き込み及び読み取り以外の標準規範の命令を受け取る時、マイクロプロセッサがインタフェースの標準協定により直接応答データをアプリケーション装置に送ることを特徴とする、媒体保存連接インタフェース装置としている。
請求項３の発明は、請求項１記載の媒体保存連接インタフェース装置において、連接インタフェースがコンパクトフラッシュ（登録商標）インタフェースとされたことを特徴とする、媒体保存連接インタフェース装置としている。
請求項４の発明は、請求項１記載の媒体保存連接インタフェース装置において、無線モジュールがブルートゥースモジュールとされたことを特徴とする、媒体保存連接インタフェース装置としている。
請求項５の発明は、媒体保存連接インタフェース装置において、
アプリケーション装置に連接されて該アプリケーション装置からの命令を受け取る第１連接インタフェースと、
保存設備を具えた電子装置に連接される第２連接インタフェースと、
第１連接インタフェース及び第２連接インタフェースのデータを暫時保存するバッファと、
第１連接インタフェース及び第２連接インタフェース間で命令を変換する協定命令切り換え器と、
アプリケーション装置が該第１連接インタフェースを介して伝送した命令を解釈するマイクロプロセッサと、
を具え、アプリケーション装置によるデータのカードへの書き込み命令を受け取ると、データをバッファ中に書き込み暫時保存し、並びに該協定命令切り換え器により第１連接インタフェースの書き込み命令を第２連接インタフェースの命令フォーマットに変換し、電子装置の保存設備中にあってファイルを構築及び開放し、データを第２連接インタフェースにより該ファイル中に書き込み、アプリケーション装置のカードデータ読み取り命令を受け取ると、該協定命令切り換え器が第１連接インタフェースの読み取り命令を第２連接インタフェース命令フォーマットに変換し、電子装置の保存設備の対応ファイルを開き、さらに該ファイルのデータを無線連接により該バッファ中に書き込み、さらに該バッファのデータを該第１連接インタフェースにより該アプリケーション装置に転送することを特徴とする、媒体保存連接インタフェース装置としている。
請求項６の発明は、請求項５記載の媒体保存連接インタフェース装置において、アプリケーション装置が送るデータの書き込み及び読み取り以外の標準規範の命令を受け取る時、マイクロプロセッサがインタフェースの標準協定により直接応答データをアプリケーション装置に送ることを特徴とする、媒体保存連接インタフェース装置としている。
請求項７の発明は、請求項５記載の媒体保存連接インタフェース装置において、第１連接インタフェースがコンパクトフラッシュ（登録商標）インタフェースとされたことを特徴とする、媒体保存連接インタフェース装置としている。
請求項８の発明は、請求項５記載の媒体保存連接インタフェース装置において、第２連接インタフェースがＵＳＢインタフェースとされたことを特徴とする、媒体保存連接インタフェース装置としている。
【０００５】
【発明の実施の形態】
本発明の特色によると、媒体保存連接インタフェース装置は、アプリケーション装置に連接されて該アプリケーション装置からの命令を受け取る連接インタフェースと、保存設備を具えた電子装置に無線連接するための無線モジュールと、該連接インタフェース及び無線モジュールからのデータを暫時保存するバッファと、該連接インタフェース及び無線モジュール間で命令を変換する協定命令切り換え器と、アプリケーション装置が該連接インタフェースを介して伝送した命令を解釈するマイクロプロセッサと、を具えている。アプリケーション装置によるデータのカードへの書き込み命令を受け取ると、データをバッファ中に書き込み暫時保存し、並びに該協定命令切り換え器により連接インタフェースの書き込み命令を無線モジュールの命令フォーマットに変換し、電子装置の保存設備中にあってファイルを構築及び開放し、データを無線連接により該ファイル中に書き込む。アプリケーション装置のカードデータ読み取り命令を受け取ると、該協定命令切り換え器が連接インタフェースの読み取り命令を無線モジュール命令フォーマットに変換し、電子装置の保存設備の対応ファイルを開き、さらに該ファイルのデータを無線連接により該バッファ中に書き込み、さらに該バッファのデータを該連接インタフェースにより該アプリケーション装置に転送する。
【０００６】
本発明のもう一つの特色によると、媒体保存連接インタフェース装置は、アプリケーション装置に連接されて該アプリケーション装置からの命令を受け取る第１連接インタフェースと、保存設備を具えた電子装置に連接される第２連接インタフェースと、第１及び第２連接インタフェースのデータを暫時保存するバッファと、第１及び第２連接インタフェース間で命令を変換する協定命令切り換え器と、アプリケーション装置が該第１連接インタフェースを介して伝送した命令を解釈するマイクロプロセッサと、を具えている。アプリケーション装置によるデータのカードへの書き込み命令を受け取ると、データをバッファ中に書き込み暫時保存し、並びに該協定命令切り換え器により第１連接インタフェースの書き込み命令を第２連接インタフェースの命令フォーマットに変換し、電子装置の保存設備中にあってファイルを構築及び開放し、データを第２連接インタフェースにより該ファイル中に書き込む。アプリケーション装置のカードデータ読み取り命令を受け取ると、該協定命令切り換え器が第１連接インタフェースの読み取り命令を第２連接インタフェース命令フォーマットに変換し、電子装置の保存設備の対応ファイルを開き、さらに該ファイルのデータを無線連接により該バッファ中に書き込み、さらに該バッファのデータを該第１連接インタフェースにより該アプリケーション装置に転送する。
【０００７】
【実施例】
本発明の技術内容を詳しく理解できるように以下に二つの実施例を以て説明する。
【０００８】
本発明の媒体保存連接インタフェース装置の第１実施例については、図１の該媒体保存連接インタフェース装置を使用したシステム構造図を参照されたい。そのうち、ディジタルカメラのようなアプリケーション装置１１のインタフェーススロット１４に、本発明の媒体保存連接インタフェース装置１２がその連接インタフェース１５を以て挿入され、該媒体保存連接インタフェース装置１２は無線モジュール１６を具え、該無線モジュール１６により電子装置１３の無線モジュール１７に無線連接される。本実施例では、該電子装置１３はパーソナルコンピュータとされるほか、ノートブック型コンピュータ、携帯情報端末、或いは携帯式保存ディスクとされ得て、該連接インタフェース１５はコンパクトフラッシュ（登録商標）インタフェースとされ、これら無線モジュール１６、１７はブルートゥースモジュールとされる。
【０００９】
図２は本発明の媒体保存連接インタフェース装置１２の回路ブロック図であり、それは、バッファ１２１、マイクロプロセッサ１２２及び協定命令切り換え器１２３で組成され、並びにそれぞれ連接インタフェース１５と無線モジュール１６で該アプリケーション装置１１と該電子装置１３に連接され、該協定命令切り換え器１２３は該連接インタフェース１５と無線モジュール１６間で命令を変換する。本実施例の媒体保存連接インタフェース装置１２の無線モジュール１６はブルートゥースモジュールとされ、それは無線チャンネルを透過して該電子装置１３のブルートゥースモジュールと連接を形成できる。図３は連接形成の情報フローチャートであり、まず、該媒体保存連接インタフェース装置１２のブルートゥースモジュールが照会（ｉｎｑｕｉｒｙ）命令を発生して近隣のブルートゥース設備をサーチし、近隣の該電子装置１３のブルートゥースモジュールはこの照会命令を検出すると、照会結果事件（Ｉｎｑｕｉｒｙ  Ｒｅｓｕｌｔ  ｅｖｅｎｔ）の応答を該媒体保存連接インタフェース装置１２に送り、媒体保存連接インタフェース装置１２がサーチした該電子装置１３に対して連接形成（Ｃｒｅａｔｅ  ｃｏｎｎｅｃｔ）命令を送り、該電子装置１３は連接完成した時に承認完成事件（Ａｕｔｈｅｎｔｉｃａｔｉｏｎ  Ｃｏｍｐｌｅｔｅ  ｅｖｅｎｔ）の応答を発生する。こうして、媒体保存連接インタフェース装置１２と電子装置１３間の無線連接が実現される。
【００１０】
図４は媒体保存連接インタフェース装置１２の制御フローチャートである。図１、２も併せて参照されたい。まず、該媒体保存連接インタフェース装置１２がアプリケーション装置１１に挿入されて電源が起動された後、該媒体保存連接インタフェース装置１２が初期化されて、近隣の電子装置１３と無線連接を構築し、並びに待機モードに進入（ステップＳ４０１）する。この時、アプリケーション装置１１からのカードへのデータ書き込み命令を受け取る（ステップＳ４０２）と、マイクロプロセッサ１２２が命令中の書き込み位置（ＬＢＡ）及び数量を解釈し、データを該バッファ１２１中に書き込み暫時保存させ、並びに該協定命令切り換え器１２３がコンパクトフラッシュ（登録商標）インタフェースの書き込み命令をブルートゥース命令フォーマットに変換し、電子装置１３の保存設備（例えばハードディスク）中にあって、ＬＢＡファイルを構築及び開放（ステップＳ４０３）し、これによりデータを構築された無線チャンネルを透過して該ＬＢＡファイル中に書き込み（ステップＳ４０４）、さらにＬＢＡファイルを閉じ（ステップＳ４０５）、以上のステップにより全てのデータを書き込み、こうして電子装置の保存媒体の仮想小型メモリカードの書き込み動作を完成する。
【００１１】
アプリケーション装置１１からのカードデータ読み取り命令を受け取ると（ステップＳ４０６）、マイクロプロセッサ１２２が命令中の書き込み位置（ＬＢＡ）と数量を解釈し、並びに該協定命令切り換え器１２３がコンパクトフラッシュ（登録商標）インタフェースの読み取り命令をブルートゥース命令フォーマットに変換し、電子装置１３の保存設備の対応するＬＢＡファイルを開き（ステップＳ４０７）、さらに該ＬＢＡファイルのデータを構築された無線チャンネルを透過して該バッファ１２１中に書き込み（ステップＳ４０８）、さらにバッファ１２１中のデータをコンパクトフラッシュ（登録商標）インタフェースを透過してアプリケーション装置１１に転送し、並びにＬＢＡファイルを閉じ（ステップＳ４０９）、こうして電子装置の保存設備の仮想小型メモリカードの読み取り動作を完成する。
【００１２】
アプリケーション装置１１の発生したデータの書き込み及び読み取り以外の標準規範命令を受け取る（ステップＳ４１０）時、マイクロプロセッサ１２２は直接インタフェースの標準協定により応答データをアプリケーション装置１１に送り（ステップＳ４１１）、例えば、Ｉｄｅｎｔｉｆｙ  ｄｅｒｉｖｅ  ｃｏｍｍａｎｄを受け取った時は、マイクロプロセッサ１２２が直接応答して予め確認し並びに保存した関係パラメータと情報をアプリケーション装置に送る。
【００１３】
前述したように、電子装置１３が大きなメモリ空間をアプリケーション装置１１の使用に供せるようにするため、該電子装置１３はアプリケーションプログラムを実行して適当にそのメモリを設定及び管理する必要がある。図５はこのアプリケーションプログラムの実施例のフローチャートであり、それによると、まず初期化が実行されて最大使用メモリ容量が設定され並びに関係パラメータが保存されて使用に待機（ステップＳ５０１）し、次に既存の仮想メモリ構造の有無が検出（ステップＳ５０２）され、もし無ければ、システムに対してメモリ資源を要求し並びに初期化し（ステップＳ５０３）、その後、さらに駆動プログラムが正確にインストールされているかを検証し（ステップＳ５０４）、チャンネル権利付与命令を媒体保存連接インタフェース装置１２に送り（ステップＳ５０５）、両者の間のチャンネルをオンとし、最後にアプリケーションプログラムが常駐待機状態に進入する（ステップＳ５０６）。
【００１４】
図６は本発明の媒体保存連接インタフェース装置を使用した第２実施例のシステム構造図であり、それと先の実施例との主要な違いは、該媒体保存連接インタフェース装置１２は連接インタフェース５６で電子装置１３に連接され、この連接インタフェース５６が好ましくはＵＳＢインタフェースとされ、これにより、媒体保存連接インタフェース装置１２と電子装置１３の間がＵＳＢケーブルで連接され、協定命令切り換え器（図示せず）が二つの連接インタフェース１５、５６の間で命令変換に用いられることにある。本実施例の媒体保存連接インタフェース装置１２のその他の部品は先の実施例と同じであるため、重複した説明は行わない。
【００１５】
【発明の効果】
以上の説明から分かるように、本発明の媒体保存連接インタフェース装置１２は無線或いは有線方式で連接される電子装置の保存設備を仮想小型メモリカードのメモリ空間として使用し、電子装置の保存設備のメモリ容量は極めて大きいことから、完全に小型メモリカードの容量制限を受けず、且つディジタルカメラのようなアプリケーション装置に対して、本発明の媒体保存連接インタフェース装置１２を挿入する時、それは則ち標準のメモリカードを挿入したものと見なされ、ゆえに本発明は完全にデジタルカメラの設計に影響を与えない。
【００１６】
上述の実施例は本発明を説明するためのものであり、本発明の実施範囲を限定するものではなく、本発明に基づきなしうる細部の修飾或いは改変は、いずれも本発明の請求範囲に属するものとする。
【図面の簡単な説明】
【図１】本発明の第１実施例の媒体保存連接インタフェース装置のシステム構造図である。
【図２】本発明の媒体保存連接インタフェース装置の回路ブロック図である。
【図３】本発明の媒体保存連接インタフェース装置と電子装置の無線連接構築の情報フローチャートである。
【図４】本発明の媒体保存連接インタフェース装置の制御フローチャートである。
【図５】本発明中の電子装置のアプリケーションプログラムのフローチャートである。
【図６】本発明の第２実施例の媒体保存連接インタフェース装置のシステム構造図である。
【符号の説明】
１１  アプリケーション装置
１２  媒体保存連接インタフェース装置
１２１  バッファ
１２２  マイクロプロセッサ
１２３  協定命令切り換え器
１３  電子装置
１４  インタフェーススロット
１５、５６  連接インタフェース
１６  無線モジュール
１７  無線モジュール
【図１】
2004310680.tif 000003
【図２】
2004310680.tif 000004
【図３】
2004310680.tif 000005
【図４】
2004310680.tif 000006
【図５】
2004310680.tif 000007
【図６】
2004310680.tif 000008